(57)【要約】【課題】光源が１つであり、且つ、好ましい人物写真を撮ることができる照明手段を有する人物撮影装置を提供すること。【解決手段】照明手段と撮影手段を備えた人物撮影装置であって、前記照明手段は、１つの光源から出射した光を上下左右の４方向に分ける光ガイド手段を有することを特徴とする人物撮影装置。【選択図】図１
2008224812.tif 000002
【特許請求の範囲】
【請求項１】
照明手段と撮影手段を備えた人物撮影装置であって、
前記照明手段は、１つの光源から出射した光を上下左右の４方向に分ける光ガイド手段を有することを特徴とする人物撮影装置。
【請求項２】
前記光ガイド手段は、前記１つの光源の直接光による人物の照射を防止するものであることを特徴とする請求項１に記載の人物撮影装置。
【請求項３】
前記光ガイド手段を前記撮影手段の後方に配置することを特徴とする請求項１又は２に記載の人物撮影装置。
【請求項４】
前記光ガイド手段により４方向に分けられた光を反射する反射手段を、それぞれの方向毎に設け、前記反射手段により反射された光により人物を照明することを特徴とする請求項１〜３のいずれか１項に記載の人物撮影装置。
【請求項５】
前記反射手段の反射方向が可変であることを特徴とする請求項１〜４のいずれか１項に記載の人物撮影装置。
【発明の詳細な説明】
【技術分野】
【０００１】
本発明は、ストロボを用いた照明手段を有する人物撮影装置に関する。
【背景技術】
【０００２】
人物を撮影する場合、撮影手段であるカメラと共に、人物を照射する照明光が重要であるということは、一般に良く知られている事柄である。
【０００３】
その主な理由は、人物の顔に照射される照明光によって、顔の表情が大きく変化することによる。また、眼鏡をかけている人物の場合には、眼鏡のレンズ面による照明光の反射が問題になることによる。
【０００４】
照明用の光源としては、キセノン管に高電圧を印加して発光させるストロボが照明手段として多用されている。その理由は、ストロボは小サイズにもかかわらず、撮影に充分な発光量を有し、また、発熱の問題も少ないことによる。
【０００５】
一般に、ストロボには、被写体の方向に向かう光量がなるべく大きくなるように反射鏡やレンズ等により指向性を持たせることが多い（例えば、特許文献１参照。）。
【０００６】
従って、ストロボ光により直接照明された被写体には陰影が強くあらわれ、また、被写体の反射面からの反射光も部分的に強くあらわれる。
【０００７】
上述したような特徴を持つ照明光を用いて撮影した人物像は、一般に好感をもって受け入れられることが難しく、また、撮影目的によっては仕様に適合しない場合もある。
【０００８】
従って、ストロボ光以外の補助光を設けたり、被写体の照射を直接光ではなく、ストロボ光を適宜な反射面で反射させて得る間接光で照射する技術手段が提案（例えば、特許文献２参照。）され、実用化されている。
【０００９】
しかしながら、このような技術手段のために各種の光源が増加することは、照明光の制御を複雑にすると共に、装置の大型化やコストアップにつながりやすい。
【特許文献１】特開２００３−１６１９８８号公報
【特許文献２】特開平１０−４８７０５号公報
【発明の開示】
【発明が解決しようとする課題】
【００１０】
本発明は上述したような状況に鑑みてなされたもので、その目的は、光源が１つであり、且つ、好ましい人物写真を撮ることができる照明手段を有する人物撮影装置を提供することにある。
【課題を解決するための手段】
【００１１】
上記課題は、以下の発明を実現することにより達成される。
１．照明手段と撮影手段を備えた人物撮影装置であって、
前記照明手段は、１つの光源から出射した光を上下左右の４方向に分ける光ガイド手段を有することを特徴とする人物撮影装置。
２．前記光ガイド手段は、前記１つの光源の直接光による人物の照射を防止するものであることを特徴とする１項に記載の人物撮影装置。
３．前記光ガイド手段を前記撮影手段の後方に配置することを特徴とする１又は２項に記載の人物撮影装置。
４．前記光ガイド手段により４方向に分けられた光を反射する反射手段を、それぞれの方向毎に設け、前記反射手段により反射された光により人物を照明することを特徴とする１〜３項のいずれか１項に記載の人物撮影装置。
５．前記反射手段の反射方向が可変であることを特徴とする１〜４項のいずれか１項に記載の人物撮影装置。
【発明の効果】
【００１２】
本発明により、眼鏡の反射の軽減を始め、人物撮影に際し最適な照明を行う照明手段が１つの光源で実現される。その結果、人物撮影装置の小型化が実現されると共に、コストアップが抑制される。また、このような人物撮影装置は、設置に必要な面積が小さくてすむことから、高品質の人物写真がどこでも手軽に得られるようになる。
【発明を実施するための最良の形態】
【００１３】
以下、本発明の実施の形態を図を基に説明する。
【００１４】
図１は、人物撮影装置Ｄの外観図である。
【００１５】
人物撮影装置Ｄは、その全面に立つ人物Ｐを撮影する装置であり、本体部１と台座部２とから構成され、人物Ｐが見る正面には、操作表示手段１０と、ミラーＭがある。
【００１６】
また、前記ミラーＭの裏側には、撮影手段２０が配置されており、また、本体部１の上下、左右には反射手段Ｍ１〜４が設けられている。
【００１７】
図２は、人物撮影装置Ｄの本体内部を説明する図である。
【００１８】
図２（ａ）は正面図、（ｂ）は側面図、（ｃ）は上面図である。
【００１９】
図に示すように、本体内部には、撮影手段２０であるカメラ、照明手段の光源部３０等が配置されている。なお、本図では、本体１内に配置されている制御手段、プリンタ、電源等については、本実施の形態の説明に直接関係しないことから記載が省略されている。
【００２０】
ミラーＭによって、正面に立つ人物Ｐは、ミラーＭに映る自分の顔の位置や、表情を確認することができる。
【００２１】
また、撮影手段２０のレンズの正面に位置する領域Ｈはハーフミラーとなっており、撮影手段２０は、ミラーＭを介して人物Ｐを撮影することができる。
【００２２】
操作表示手段１０は、タッチパネルで、画像の表示と、表示された画像に対応する入力を受け付ける公知の手段である。
【００２３】
光源部３０は、光源であるキセノン管と光ガイド手段からなり、光源から出射した光は、光ガイド手段により上下左右の４方向に分けられる。
【００２４】
本体１の上下の面ｙ１、ｙ２及び左右の面ｘ２、ｘ１には開口部が設けられており、前記光ガイド手段により４方向に分けられた光は、それぞれが対応する反射手段Ｍ１、Ｍ２、Ｍ３、Ｍ４に向けて複数の前記開口部から出射する。
【００２５】
開口部から出射した光は、光を反射する反射面を有する反射手段Ｍ１〜４によって反射され、図の点線矢印ｚ１〜４に示されるように、被写体である人物Ｐに向けて進む。
【００２６】
このように、人物Ｐは、光源の直接光ではなく、前記反射手段Ｍ１〜４によって反射される間接光により照明される。
【００２７】
また、このように上下左右の４方向に照明光を分けることは、各方向からの照明光の調整により、最適な陰影を生み出す照明条件を得ることができる有用な技術手段である。
【００２８】
なお、光ガイド手段を備えた前記光源部３０は、光源から上下左右方向に出射した光が前記撮影手段２０のレンズに直接入射しないように、撮影手段２０の後方の適宜な位置に配置されることが望ましい。
【００２９】
また、撮影手段２０には、前記出射した光が、装置内部で反射して前記レンズに入射することを防止するためのレンズフードをはじめとする遮光部材が設けられている。
【００３０】
図３は、光源部３０の概念図であり、図３（ｂ）は正面図、（ａ）は上面図、（ｃ）は下面図、（ｄ）は側面図である。
【００３１】
光源部３０は、キセノン管である光源３１と複数の反射面を有する光ガイド手段３２等から構成される。
【００３２】
光源３１のキセノン管は、高電圧の印加により放電して光を放出するもので、ストロボの光源ランプとして広く用いられているものである。
【００３３】
光ガイド手段３２は、前記光源３１を収容する両端が開口した５角形の筒状の部分と、両端部に設けられた反射部とからなる。なお、前記光ガイド手段３２の内面は全て光を反射する反射面となっている。
【００３４】
図３（ａ）に示すように、光ガイド手段３２の上板３２１には開口部３２２が設けられており、光源３１から出射した光は、前記開口部３２２から上方に進み、反射手段Ｍ１により反射され、上方から被写体である人物の顔を照射する。
【００３５】
また、図３（ｃ）に示すように、光ガイド手段３２の下板３３１の両端部には開口部３３２が設けられており、光源３１から出射した光は、前記開口部３３２から下方に進み、反射手段Ｍ２により反射され、下方から被写体である人物の顔を照射する。
【００３６】
また、図３（ｂ）、（ｄ）に示すように、光ガイド手段３２のの両側部には開口部３４１が設けられており、光源３１から出射した光は、前記開口部３４１から両側方に進み、反射手段Ｍ３、４により反射され、両側方から被写体である人物の顔を照射する。
【００３７】
なお、光ガイド手段３２のの両側部上方には反射面３４２が設けられており、前記開口部３４１から外に出た光の一部は前記反射面３４２により下方にある反射手段Ｍ２に向け反射され、下方から被写体である人物の顔を照射する。
【００３８】
図４、５、６は、被写体を照射する照明光を説明する図である。
【００３９】
なお、図中点線矢印にて示す光の進路は、実際には、ある指向性を持つ広がり持つ光の代表的な位置の光の進路を示すものである。
【００４０】
図４は上方に進んだ光が被写体を照明する様子を示しており、同様に、図５は、下方に進んだ光による照明の様子、また、図６は側方に進んだ光による照明の様子を示している。
【００４１】
以上説明したように、本発明の実施の形態の人物撮影装置Ｄにおける照明手段は、光源３１及び光ガイド３２からなる光源部３０と、前記光源部から出射した光を被写体である人物に向け反射する複数の反射手段Ｍ１〜４とからなる。
【００４２】
即ち、このような照明手段によって、光ガイド手段３２により光源３１の光が直接的に人物を照射することを防止して、人物を、多方向からある広がりを持つ間接光で照射している。
【００４３】
また、反射手段Ｍ１、３、４は、それぞれの一端が回転可能に本体部１に固定されており、反射手段Ｍ１、３、４の固定角度を変えることにより、被写体に向かう照明光の方向を変えることができることから、より好ましい照明条件を設定することができる。
【００４４】
なお、本実施の形態では、反射手段Ｍ２は固定されているが、反射手段Ｍ１、３、４と同様に一端を回転可能に保持するようにして、各反射手段の反射方向が可変であるようにしてもよい。
【００４５】
従って、本発明の実施の形態の人物撮影装置Ｄは、１つの光源から出た光を正面から直接被写体に当てること無く、小型の装置でありながら上下左右の４方向から面積の大きい反射面にて反射された照明光によって被写体を照射することから、更には、反射面の角度を調整することにより、顔の陰影を変化させることができることから、顔の陰影を微妙に変化させたり、眼鏡による反射を軽減して、より好ましい顔写真を得ることができる。
【図面の簡単な説明】
【００４６】
【図１】人物撮影装置の外観図である。
【図２】人物撮影装置の本体内部を説明する図である。
【図３】光源部の概念図である。
【図４】被写体を上方から照射する照明光を説明する図である。
【図５】被写体を下方から照射する照明光を説明する図である。
【図６】被写体を側方から照射する照明光を説明する図である。
【符号の説明】
【００４７】
１  本体部
２  台座部
２０  撮影手段
３０  光源部
３１  光源
３２  光ガイド手段
Ｄ  人物撮影装置
Ｍ１〜４  反射手段
【図１】
2008224812.tif 000003
【図２】
2008224812.tif 000004
【図３】
2008224812.tif 000005
【図４】
2008224812.tif 000006
【図５】
2008224812.tif 000007
【図６】
2008224812.tif 000008